(57)【特許請求の範囲】
【請求項１】
検体中の被検出物質を検出するイムノクロマトグラフィー法に用いられ、タンパク質からなる検出物質が保持された検出部を有するクロマトグラフ媒体であって、前記検出部に三糖または四糖の多糖類と塩基性アミノ酸を含み、
前記多糖類が、ラフィノース及びマルトテトラオースからなる群より選ばれる少なくとも１の多糖類であり、
前記塩基性アミノ酸が、アルギニン及びリジンからなる群より選ばれる少なくとも１の塩基性アミノ酸である
クロマトグラフ媒体。
【請求項２】
検出部に前記多糖類を５〜５０ｎｍｏｌ含む請求項１に記載のクロマトグラフ媒体。
【請求項３】
検出部に前記塩基性アミノ酸を５〜５０ｎｍｏｌ含む請求項１または２に記載のクロマトグラフ媒体。
【請求項４】
検出部に含まれる前記多糖類と前記塩基性アミノ酸のモル比が、１：１０〜１０：１である請求項３に記載のクロマトグラフ媒体。
【請求項５】
検出部にリジンを含む請求項１〜４のいずれか１項に記載のクロマトグラフ媒体。
【請求項６】
被検出物質が糖蛋白質である請求項１〜５のいずれか１項に記載のクロマトグラフ媒体。
【請求項７】
前記糖蛋白質がＨｂＡ１ｃである請求項６に記載のクロマトグラフ媒体。
【請求項８】
請求項１〜７のいずれか１項に記載のクロマトグラフ媒体を含むイムノクロマトグラフ装置。
【請求項９】
請求項８に記載のイムノクロマトグラフ装置及び検体希釈液を含むイムノクロマトグラフキット。
【請求項１０】
請求項９に記載のイムノクロマトグラフキットを用い、下記工程（１）〜（４）を順次実施するイムノクロマト分析方法。
（１）検体を検体希釈液とともに試料添加部に添加する工程
（２）標識物質保持部に保持されている標識物質により前記検体に含まれる被検出物質を認識させる工程
（３）前記検体および標識物質を移動相としてクロマトグラフ媒体に展開させる工程
（４）展開された移動相中の被検出物質を検出部で検出する工程
【発明の詳細な説明】
【技術分野】
【０００１】
本発明は、クロマトグラフ媒体、イムノクロマトグラフ装置、イムノクロマトグラフキット、イムノクロマト分析方法に関する。
【背景技術】
【０００２】
近年、検体の前処理を行う必要の無い、イムノクロマトグラフィー法によるイムノアッセイは、例えば抗体の持つ特異的反応性を利用して、試料液中の抗原を検出する簡便な体外診断キットもしくは携帯用診断装置として重要性が高まっている。特に、ウィルスや細菌等の病原体検査キットは、一般の病院やクリニックでも汎用されている身近なイムノクロマトグラフ装置である。
【０００３】
従来のイムノクロマトグラフ装置の最も簡単な構造としては、試料添加部、標識物質保持部、検出部が担持されたクロマトグラフ媒体（クロマトグラフ媒体部）、および検出部を通過した液体を吸収する吸収部が相互に繋がった構造である。
【０００４】
上記の各部位のうち、クロマトグラフ媒体の検出部には、検出対象の被検出物質と結合する抗体等のタンパク質が担持されている。このタンパク質は、温度条件や湿度条件によって変性を起こし、検出対象の検出感度が低下してしまうので、イムノクロマトグラフ装置を安定的に長い時間保存することができないという問題があった。そこで、クロマトグラフ媒体の検出部に含まれるタンパク質の変性を抑制し、保存安定性を高めるための手段について各種検討がなされている。
【０００５】
例えば、特許文献１には、イムノクロマトグラフ装置の検出部等の固相に、糖または糖誘導体を用いることによって、装置内の湿度を適度に保ち、保存安定性を有するイムノクロマト装置が開示されている。
また、非特許文献１には、クロマトグラフ媒体のメンブレンに、グリシンやリシン等のアミノ酸や、スクロースやトレハロース等の糖をそれぞれ単独で含有させることによって、抗体の保存安定性を高め、検出感度の低下を抑制させたイムノクロマトグラフ装置が開示されている。
【先行技術文献】
【特許文献】
【０００６】
【特許文献１】国際公開第２００２／４０９９９号公報
【非特許文献】
【０００７】
【非特許文献１】ＭＥＴＨＯＤＳ  ２２，５３−６０（２０００）「Ｄｅｖｅｌｏｐｍｅｎｔ  ｏｆ  Ｒａｐｉｄ  Ｏｎｅ−Ｓｔｅｐ  Ｉｍｍｕｎｏｃｈｒｏｍａｔｏｇｒａｐｈｉｃ  Ａｓｓａｙ」
【発明の概要】
【発明が解決しようとする課題】
【０００８】
しかしながら、上記のような従来技術では未だその効果は十分とは言えず、改良の余地があった。本発明の目的は、保存安定性を十分に向上させたクロマトグラフ媒体を提供することにある。
【課題を解決するための手段】
【０００９】
本発明者らは上記の課題を解決するべく鋭意検討した結果、イムノクロマトグラフィー法に用いられるイムノクロマトグラフ装置において、クロマトグラフ媒体の検出部に特定の糖類と塩基性アミノ酸の両方を含有させることによって、検出部に保持された検出対象であるタンパク質の変性を十分に抑制し、保存安定性を十分に高め、検出物質の活性低下を防ぐことができることを見出し、さらに検出物質の活性も向上させることができることも見出し、本発明を完成するに至った。
【００１０】
すなわち、本発明は以下の通りである。
１．検体中の被検出物質を検出するイムノクロマトグラフィー法に用いられ、タンパク質からなる検出物質が保持された検出部を有するクロマトグラフ媒体であって、前記検出部に三糖以上の多糖類と塩基性アミノ酸を含むクロマトグラフ媒体。
２．検出部に含まれる多糖類が、ラフィノース、ニゲロトリオース、マルトトリオース、メレジトース、マルトトリウロース、ケストース、ニストース、ニゲロテトラオース、スタキオース及びマルトテトラオースからなる群より選ばれる少なくとも１つの多糖類である前記１に記載のクロマトグラフ媒体。
３．検出部に多糖類を５〜５０ｎｍｏｌ含む前記１または２に記載のクロマトグラフ媒体。
４．検出部に塩基性アミノ酸を５〜５０ｎｍｏｌ含む前記１〜３のいずれか１に記載のクロマトグラフ媒体。
５．検出部に含まれる多糖類と塩基性アミノ酸のモル比が、１：１０〜１０：１である前記４に記載のクロマトグラフ媒体。
６．検出部に、アルギニン、リジン、オルニチン、及びヒスチジンからなる群より選ばれる少なくとも１の塩基性アミノ酸を含む前記１〜５のいずれか１に記載のクロマトグラフ媒体。
７．検出部にリジンを含む前記１〜６のいずれか１に記載のクロマトグラフ媒体。
８．被検出物質が糖蛋白質である前記１〜７のいずれか１に記載のクロマトグラフ媒体。
９．前記糖蛋白質がＨｂＡ１ｃである前記８に記載のクロマトグラフ媒体。
１０．前記１〜９のいずれか１に記載のクロマトグラフ媒体を含むイムノクロマトグラフ装置。
１１．前記１０に記載のイムノクロマトグラフ装置及び検体希釈液を含むイムノクロマトグラフキット。
１２．前記１１に記載のイムノクロマトグラフキットを用い、下記工程（１）〜（４）を順次実施するイムノクロマト分析方法。
（１）検体を検体希釈液とともに試料添加部に添加する工程
（２）標識物質保持部に保持されている標識物質により前記検体に含まれる被検出物質を認識させる工程
（３）前記検体および標識物質を移動相としてクロマトグラフ媒体に展開させる工程
（４）展開された移動相中の被検出物質を検出部で検出する工程
【発明の効果】
【００１１】
本発明によれば、検出部に保持された検出対象であるタンパク質の変性を十分に抑制し、保存安定性が十分に高く、検出物質の活性低下を防ぐことができるクロマト媒体を提供することができる。また、検出物質の活性も向上させることができる。
【図面の簡単な説明】
【００１２】
【図１】図１は、イムノクロマトグラフ装置の構造を説明するための断面図である。
【図２】図２は、実施例１、２及び比較例１、２において、検出部の発色値の相対活性を示すグラフである。
【図３】図３は、実施例３〜６及び比較例３〜１０において、加湿二日後の検出部の発色値の相対活性を示すグラフである。
【発明を実施するための形態】
【００１３】
以下に、本発明を実施するための形態を説明する。
【００１４】
本発明のクロマトグラフ媒体は、タンパク質からなる検出物質が保持された検出部を有しており、当該検出部に三糖以上の多糖類と塩基性アミノ酸を含むことを特徴としている。
【００１５】
検出部は、クロマトグラフ媒体上に形成される。すなわち、被検出物質と結合する検出物質であるタンパク質が任意の位置に固定化される。
本発明のイムノクロマト媒体は、検出部が三糖以上の多糖類と塩基性アミノ酸を含むことを特徴としている。
【００１６】
本発明のクロマトグラフ媒体は、その検出部に三糖以上の多糖類を含有することによって、検出部中の検出物質であるタンパク質が耐湿性を有し、その結果タンパク質の変性が抑制され、保存安定性が高まり、検出物質の活性低下を防ぐことができる。また、多糖類のなかでも、一分子内に水素結合可能な水酸基を多数有する三糖以上の糖類であることによって、単糖や二糖と比較してより高い効果を得ることができる。
【００１７】
本発明のクロマトグラフ媒体がその検出部に三糖以上の多糖類を含有させることによって検出物質の保存安定性を高めることができる作用機序については定かではないが、三糖以上の多糖類が検出物質のタンパク質の水素結合ネットワークを維持することにより、乾燥によって検出物質のタンパク質から結合水が解離する際に、タンパク質の立体構造が壊されることを防ぎ、タンパク質の変性を防ぐことによって保存安定性を高め、活性の低下を防ぐことができるからであると考えられる。
【００１８】
多糖類は、三糖以上であれば特に限定されない。例えば、三糖〜四糖が挙げられる。
三糖としては、例えば、ラフィノース、ニゲロトリオース、マルトトリオース、メレジトース、マルトトリウロース、及びケストース等が挙げられる。
四糖としては、例えば、ニストース、ニゲロテトラオース、スタキオース及びマルトテトラオース等が挙げられる。
【００１９】
本発明においては、多糖類の中でも、三糖〜四糖が好ましく、より好ましくは三糖であり、三糖の中でもさらに好ましくはラフィノースである。上記の糖であることによって、被検出物質と検出物質との反応阻害が抑制され、検出物質のタンパク質の水素結合ネットワークを適切に維持し保存安定性を高め活性の低下を防ぐことができるからである。三糖以上の多糖類の多くは、非還元糖であって、加水分解による水素結合性の弱いアルデヒドまたはケトンへの官能基の変換が起こらないことから、強固な水素結合のネットワークが維持できる。
本発明のクロマトグラフ媒体の検出部には、上記糖を１種類含有させてもよいし、２種以上を混合して含有させてもよい。
【００２０】
検出部における多糖類の含有量は、イムノクロマト媒体１つにつき、例えば５〜５０ｎｍｏｌであり、好ましくは１０〜４０ｎｍｏｌであり、さらに好ましくは２０〜３０ｎｍｏｌである。上記範囲にすることによって、保存安定性を高め活性の低下を防ぐことが十分でき、被検出物質と検出物質との反応阻害をより抑制できるためである。
【００２１】
また、本発明のクロマトグラフ媒体はその検出部に、上記多糖類とともに塩基性アミノ酸を合わせて含有することによって、検出部中の検出物質であるタンパク質が耐湿性を有し、その結果タンパク質の変性が抑制され、保存安定性を高め、検出物質の活性低下を防ぐことができる。また、塩基性アミノ酸であることによって、その他のアミノ酸と比較してより高い効果を得ることができる。
【００２２】
本発明のクロマトグラフ媒体はその検出部に塩基性アミノ酸を含有させることによって検出物質の保存安定性を高めることができる作用機序については定かではないが、塩基性アミノ酸は、検出物質であるタンパク質と弱く相互作用して、タンパク質同士の会合凝集を抑制して、検出物質の活性低下を防ぐことができるからであると考えられる。
【００２３】
塩基性アミノ酸の種類は特に限定されないが、例えば、アルギニン、リジン、オルニチン、及びヒスチジン等が挙げられる。保存安定性を高め、活性の低下をより防ぐ観点から、好ましくは、リジン及びアルギニンが用いられ、最適にはリジンが用いられる。本発明のクロマトグラフ媒体の検出部には、上記の塩基性アミノ酸を１種類含有させてもよいし、２種以上を混合して含有させてもよい。
【００２４】
検出部における塩基性アミノ酸の含有量は、イムノクロマト媒体１つにつき例えば５〜５０ｎｍｏｌあり、好ましくは１０〜４０ｎｍｏｌであり、さらに好ましくは１５〜３０ｎｍｏｌである。上記範囲にすることによって、検出物質の活性低下をより防ぐことができるためである。
【００２５】
本発明のイムノクロマト媒体では、検出部が三糖以上の多糖類と塩基性アミノ酸の両方を含むものであり、それぞれを単独で含む場合と比較して、検出物質の保存安定性が顕著に向上するものである。その作用機序は明らかではないが、多糖類が水素結合のネットワークを形成して正しい立体構造を保持し、かつ塩基性アミノ酸が抗体と弱い相互作用で抗体同士の凝集を抑制することで活性が長く保持されると推測される。また、被検出物質の検出物質による検出時において、多糖類による保存安定性の効果を損なわず、塩基性アミノ酸が多糖類と検出物質との会合を適度にほぐすことができるため、被検出物質と検出物質との反応活性低下も抑制できるからであると推測される。
【００２６】
検出部に含有させる前記多糖類と塩基性アミノ酸の比率は、質量（モル）比で通常、１：１０〜１０：１であり、好ましくは、１：４〜４：１であり、より好ましくは４：５〜５：４である。前記範囲であることによって、多糖類と塩基性アミノ酸の両方を含むことによって得られる相乗効果がより効果的になる。
【００２７】
本発明のクロマトグラフ媒体の検出部に含有する検出物質であるタンパク質としては、検出対象と特異的に結合するタンパク質であれば特に限定されず、例えば、抗体、抗原、及びホルモン等が挙げられる。
【００２８】
抗体としては例えば、ポリクローナル抗体またはモノクローナル抗体並びにそのフラグメントが挙げられる。モノクローナル抗体およびポリクローナル抗体若しくはそのフラグメントは、公知であり、入手可能であり、公知の方法により調製することができる。
抗体の含有量は、イムノクロマト媒体１つにつき例えば０．１〜１μｇであり、好ましくは０．２〜０．６μｇであり、さらに好ましくは０．３〜０．４μｇである。
【００２９】
本発明のクロマトグラフ媒体は、イムノクロマトグラフ装置の展開部位として使用できる。クロマトグラフ媒体は、毛管現象を示す微細多孔性物質からなる不活性の膜である。イムノクロマトグラフィー法で使用される検出試薬、固定化試薬または被検出物質などと反応性を有しないという観点から、また、本発明の効果が向上するという観点から、例えば、ニトロセルロース製のメンブレン（以下「ニトロセルロースメンブレン」という場合がある）や、酢酸セルロース製のメンブレン（以下「酢酸セルロースメンブレン」という場合がある）が好ましく、ニトロセルロースメンブレンがさらに好ましい。なお、セルロース類メンブレン、ナイロンメンブレン及び多孔質プラスチック布類（ポリエチレン、ポリプロピレン）も使用可能である。
【００３０】
ニトロセルロースメンブレンとしては、ニトロセルロースが主体で含まれていればよく、純品またはニトロセルロース混合品などニトロセルロースを主材とするメンブレンを使用することができる。
【００３１】
ニトロセルロースメンブレンは、さらに毛細管現象を促進させる物質を含有させることもできる。該物質としては、膜面の表面張力を低下させ、親水性をもたらす物質が好ましい。例えば、各種合成界面活性剤またはアルコール等の両親媒性の作用を有する物質であって、クロマトグラフ媒体上での被検出物質の移動に影響がなく、マーカー物質（例えば金コロイドなど）の発色に影響を及ぼさない物質が好ましい。
【００３２】
ニトロセルロースメンブレンは、多孔性であって、毛細管現象を示す。この毛細管現象の指標は、吸水速度（吸水時間：ｃａｐｉｌｌａｒｙ  ｆｌｏｗ  ｔｉｍｅ）を測ることで確認できる。吸水速度は、検出感度と検査時間に影響する。
【００３３】
上記のようなニトロセルロースメンブレンや酢酸セルロースメンブレンに代表されるクロマトグラフ媒体の形態及び大きさは特に制限されるものではなく、実際の操作の点及び反応結果の観察の点において適切であればよい。
【００３４】
また、本発明のクロマトグラフ媒体には、非特異的な吸着により分析の精度が低下することを防止するため、必要に応じて、公知の方法でブロッキング処理を行うことができる。一般にブロッキング処理はウシ血清アルブミン、スキムミルク、カゼインまたはゼラチン等の蛋白質が好適に用いられる。かかるブロッキング処理後に、必要に応じて、例えば、ポリエチレングリコールソルビタンモノラウラート（例えば、Ｔｗｅｅｎ２０：和光純薬社製）、ポリオキシエチレンオクチルフェニルエーテル（例えば、ＴｒｉｔｏｎＸ−１００：和光純薬社製）またはドデシル硫酸ナトリウム（例えば、ＳＤＳ：和光純薬社製）等の界面活性剤を１つ又は２つ以上組み合わせて洗浄してもよい。
【００３５】
また、本発明のクロマトグラフ媒体中の検出部は、クロマトグラフ媒体上に形成される。すなわち、被検出物質と特異的に結合する上記タンパク質が任意の位置に固定化される。
【００３６】
被検出物質を含む検体としては、特に制限されないが、例えば、生体試料、即ち、全血、血清、血漿、尿、唾液、喀痰、鼻腔又は咽頭拭い液、髄液、羊水、乳頭分泌液、涙、汗、皮膚からの浸出液、組織や細胞及び便からの抽出液等の他、牛乳、卵、小麦、豆、牛肉、豚肉、鶏肉などやそれらを含む食品等の抽出液等が挙げられる。
【００３７】
具体的な被検出物質としては、例えば、癌胎児性抗原（ＣＥＡ）、ＨＥＲ２タンパク、前立腺特異抗原（ＰＳＡ）、ＣＡ１９−９、α−フェトプロテイン（ＡＦＰ）、免疫抑制酸性タンパク（ＩＰＡ）、ＣＡ１５−３、ＣＡ１２５、エストロゲンレセプター、プロゲステロンレセプター、便潜血、トロポニンＩ、トロポニンＴ、ＣＫ−ＭＢ、ＣＲＰ、ヒト絨毛性ゴナドトロピン（ｈＣＧ）、黄体形成ホルモン（ＬＨ）、卵胞刺激ホルモン（ＦＳＨ）、梅毒抗体、インフルエンザウイルス、ヒトヘモグロビン、クラミジア抗原、Ａ群β溶連菌抗原、ＨＢｓ抗体、ＨＢｓ抗原、ロタウイルス、アデノウイルス、アルブミン、ないし、糖化アルブミン及び糖化ヘモグロビン等の糖蛋白質等が挙げられるが、これらに限定されるものではない。
【００３８】
なかでも、被検出物質としては、糖蛋白質が好ましく糖化ヘモグロビンがより好ましく、ＨｂＡ１ｃであることが特に好ましい。ＨｂＡ1ｃ抗体は、ヘモグロビンにグルコースが結合した状態と結合しない状態のわずかな差を認識する必要があり、その立体構造が厳密に保持されていなければならないため、被検出物質がＨｂＡ１ｃである場合は本発明の効果が特に有効に機能するからである。
【００３９】
本発明のクロマトグラフ装置は、図１に示すように、上述したクロマトグラフ媒体および検出部の他に、通常、試料添加部（サンプルパッドともいう）、標識物質保持部（コンジュゲートパッドともいう）、吸収部及びバッキングシートから構成されている。上記各部位が設けられる順番は、試料が展開する順に、試料添加部（１）、標識物質保持部（２）、クロマトグラフ媒体（クロマトグラフ媒体部ともいう）（３）、検出部（４）、吸収部（５）となっている。
【００４０】
試料添加部（１）は、免疫クロマト分析装置において、検体（サンプル）を滴下する部位である。サンプルは、通常のクロマトグラフ装置に使用される素材であればどのようなものでもよい。試料添加部（１）は試料を吸収保持するグラスファイバーまたはセルロースの膜が通常使用される。
【００４１】
標識物質保持部（２）は、あらかじめ被検出物質と結合する抗体に結合した、後述する標識物質（マーカー物質）が含有されている。標識物質保持部内を被検出物質が移動する際に抗体と結合し、標識化される。標識物質保持部（２）は、例えば、グラスファイバー不織布またはセルロース膜等からなっている。
【００４２】
クロマトグラフ媒体（３）及び検出部（４）は、上述した本発明のクロマトグラフ媒体を使用する。
【００４３】
吸収部（５）は、クロマトグラフ媒体部（３）の末端に、検出部（４）を通過した検体や展開液等の液体を吸収させるために必要に応じて設置される。本発明の免疫クロマト分析装置において、吸収部（５）は、例えばグラスファイバーからなることができる。吸収部（５）がグラスファイバーからなることによって、試料液の液戻りを大幅に低減することができる。
【００４４】
バッキングシート（６）は、基材である。片面に粘着剤を塗布したり、粘着テープを貼り付けることにより、片面が粘着性を有し、該粘着面上に試料添加部（１）、標識物質保持部（２）、クロマトグラフ媒体部（３）、および吸収部（５）の一部または全部が密着して設けられている。バッキングシート（６）は、粘着剤によって試料液に対して不透過性、非透湿性となるようなものであれば、基材としては、特に限定されない。
【００４５】
また、本発明は、検体希釈液と上記イムノクロマトグラフ装置と組み合わせて、イムノクロマトグラフキットとすることができる。
【００４６】
検体希釈液は、また展開液としても使用することができるものであるが、通常、溶媒として水を用い、これに緩衝液、塩、および非イオン界面活性剤、さらに、例えば抗原抗体反応の促進あるいは非特異的反応を抑制するための蛋白質、高分子化合物（ＰＶＰ等）、イオン性界面活性剤又はポリアニオン、あるいは、抗菌剤、キレート剤等々の１種もしくは２種以上を加えてもよい。
【００４７】
展開液として用いる場合には、検体と展開液を予め混合したものを、試料添加部上に供給・滴下して展開させることもできるし、先に検体を試料添加部上に供給・滴下した後、展開液を試料添加部上に供給・滴下して展開させてもよい。
【００４８】
本発明のイムノクロマト分析方法は以下の工程（１）〜（４）を順次実施し、含み、上記のイムノクロマトグラフキットを用いて検体に含まれる被検出物質を検出する。
（１）検体を検体希釈液とともに試料添加部に添加する工程
（２）標識物質保持部に保持されている標識物質により前記検体に含まれる被検出物質を認識させる工程
（３）前記検体および標識物質を移動相としてクロマトグラフ媒体に展開させる工程
（４）展開された移動相中の被検出物質を検出部で検出する工程
各工程について以下に説明する。
【００４９】
（１）検体を検体希釈液とともに試料添加部に添加する工程
工程（１）では、第１に、検体を、測定精度を低下させることなく、クロマトグラフ媒体中をスムーズに移動する程度の濃度に検体希釈液で調整または希釈して検体含有液とするのが好ましい。第２に、該検体含有液を試料添加部（１）上に、所定量（通常、０．１〜２ｍｌ）滴下する。検体含有液が滴下されると、検体含有液は試料添加部（１）中で移動を開始する。
【００５０】
（２）標識物質保持部に保持されている標識物質により検体に含まれる被検出物質を認識させる工程
工程（２）は、工程（１）において試料添加部に添加された検体含有液を、標識物質保持部（２）へと移動させ、標識物質保持部に保持されている標識物質により検体中の被検出物質を認識させる工程である。
【００５１】
標識物質は抗体を標識化する。免疫クロマトグラフ法における検出試薬の標識には、一般に酵素等も使用されるが、被検出物質の存在を目視で判定するのに適していることから、標識物質としては不溶性担体を用いることが好ましい。抗体を不溶性担体に感作することにより標識化した検出試薬を調製することができる。なお、抗体を不溶性担体に感作する手段は、公知の方法に従えばよい。
【００５２】
標識物質としての不溶性担体には、金、銀もしくは白金のようなコロイド状金属粒子、酸化鉄のようなコロイド状金属酸化物粒子、硫黄などのコロイド状非金属粒子及び合成高分子よりなるラテックス粒子、またはその他を用いることができる。特に金コロイドが、検出が簡便で好ましい。金コロイドの粒子の平均粒径は、例えば１０ｎｍ〜２５０ｎｍ、好ましくは３５ｎｍ〜１２０ｎｍである。平均粒径は、透過型電子顕微鏡（ＴＥＭ：日本電子（株）製、ＪＥＭ−２０１０）により、撮影した投影写真を用いて無造作に１００個の粒子を粒子の投影面積円相当径を計測し、その平均値から算出することができる。
【００５３】
不溶性担体は、被検出物質の存在を視覚的に判定するのに適した標識物質であり、目視による判定を容易にするためには有色であることが好ましい。コロイド状金属粒子及びコロイド状金属酸化物粒子は、それ自体が粒径に応じた特定の自然色を呈するものであり、その色彩を標識として利用することができる。
【００５４】
（３）検体および標識物質を移動相としてクロマトグラフ媒体に展開させる工程
工程（３）は、工程（２）において被検出物質が標識物質保持部において標識物質に認識された後、検体および標識物質を、クロマトグラフ媒体上を移動相として通過させる工程である。
【００５５】
（４）展開された移動相中の被検出物質を検出部で検出する工程
工程（４）は、クロマトグラフ媒体上を移動相として通過した検体中の被検出物質が、検出物質であるタンパク質との特異的結合反応により、検出部に保持、即ち、担持固定されているタンパク質と標識試薬とによってサンドイッチ状に挟まれるように特異的に反応結合して、検出部が着色する工程である。
【００５６】
被検出物質が存在しない場合には、試料の水分に溶解した標識試薬は、クロマトグラフ媒体上の検出部を通過しても特異的結合反応が起こらないので、検出部が着色しない。
本発明では、検出部に三糖以上の多糖類と塩基性アミノ酸を含むため、検出部に保持された検出対象であるタンパク質の変性を十分に抑制し、保存安定性が十分に高く、検出物質の活性低下を防ぐことができる。
【００５７】
最後に、検体含有液の水分は、吸収部（５）へと移動する。
【実施例】
【００５８】
以下、本発明を実施例及び比較例によりさらに説明するが、本発明は下記実施例に制限されるものではない。
【００５９】
［実施例１］
１．イムノクロマトグラフキットの作製
（１）クロマトグラフ媒体および検出部の作製
メンブレンとしてニトロセルロースからなるシート（ミリポア社製、商品名：ＨＦ７５、３００ｍｍ×２５ｍｍ）を用いた。
次に、５質量％のイソプロピルアルコールを含むリン酸緩衝液（ｐＨ７．４）で１．０ｍｇ／ｍｌの濃度になるように抗ＨｂＡ１ｃモノクローナル抗体（第一抗体）を希釈した溶液１５０μＬを、乾燥されたメンブレン上の検出部（検出ライン）に１ｍｍの幅で３００ｍｍ塗布した。なお該溶液は、８ｍｍｏｌ／ｍＬ（イムノクロマト媒体１つにつき２０ｎｍｏｌ）のリジン及び１０ｍｍｏｌ／ｍＬ（イムノクロマト媒体１つにつき２５ｎｍｏｌとなる濃度）のラフィノース濃度を有する溶液を準備した。
また、金ナノ粒子標識試薬の展開の有無や展開速度を確認するために、検出部の下流に、金ナノ粒子標識物質や被検出物質である動物肉タンパク質などと広く親和性を有するヤギ由来抗血清をリン酸緩衝液（ｐＨ７．４）で希釈した液をコントロール部位（コントロールライン）に塗布した。その後、５０℃で３０分間乾燥させ、室温で一晩乾燥させ、クロマトグラフ媒体および検出部を作製した。
【００６０】
（２）試料添加部の作製
試料添加部としてグラスファイバーからなる不織布（ミリポア社製：３００ｍｍ×３０ｍｍ）を用いた。
【００６１】
（３）標識物質保持部の作製
金コロイド懸濁液（田中貴金属工業社製：ＬＣ４０ｎｍ）０．５ｍｌに、リン酸緩衝液（ｐＨ７．４）で０．０５ｍｇ／ｍｌの濃度になるように希釈した抗ＨｂＡ１ｃモノクローナル抗体（第二抗体）を０．１ｍｌ加え、室温で１０分間静置した。
次いで、１質量％の牛血清アルブミン（ＢＳＡ）を含むリン酸緩衝液（ｐＨ７．４）を０．１ｍｌ加え、更に室温で１０分間静置した。その後、十分撹拌した後、８０００×ｇで１５分間遠心分離を行い、上清を除去した後、１質量％のＢＳＡを含むリン酸緩衝液（ｐＨ７．４）を０．１ｍｌ加えた。以上の手順で標識物質溶液を作製した。
上記作製した標識物質溶液３００μＬに３００μＬの１０質量％トレハロース水溶液と１．８ｍＬの蒸留水を加えたものを１５ｍｍ×３００ｍｍのグラスファイバーパッド（ミリポア社製）に均一になるように添加した後、真空乾燥機にて乾燥させ、標識物質保持部を作製した。
【００６２】
（４）イムノクロマトグラフ装置の作製
次に、上記作製したクロマトグラフ媒体および検出部、試料添加部、標識物質保持部を用いて図１に示すようなイムノグラフト装置を作製した。バッキングシートからなる基材に、試料添加部、標識物質保持部、検出部が担持されたクロマトグラフ媒体、展開した試料や標識物質を吸収するための吸収部としてグラスファイバー製の不織布を順次貼り合わせた。そして、裁断機で幅が５ｍｍとなるように裁断し、イムノクロマトグラフ装置とした。なお、標識物質保持部およびインキュベーション部の試料展開方向の長さをそれぞれ８ｍｍとした。
【００６３】
（５）検体希釈液
１質量％の非イオン界面活性剤（日油株式会社製、商品名：ＭＮ８１１とナカライテスク社製、商品名ＮＰ−４０の１：１混合物）、８０ｍＭの塩化カリウム、２０ｍＭのグアニジン塩酸塩、０．４重量％のポリビニルピロリドン（平均分子量３６万）を含む５０ｍＭのＨＥＰＥＳ緩衝液（ｐＨ７．５）を調製し、検体を希釈処理するための試薬とした。
【００６４】
２．測定
上記作製したイムノクロマトグラフ装置を加湿器に入れ、湿度を９５％、温度を３７℃の状態で表１に記載する時間放置した。その後、健康成人男性および糖尿病男性患者それぞれの指先を穿刺することにより、血液を採取し、ラテックス凝集法によりＨｂＡ０及びＨｂＡ１ｃの濃度を測定した夫々の血液試料を、ＨｂＡ１ｃの濃度が、６．５％となるように混合し作製したＨｂＡ１ｃ検体を上記検体希釈液で１００倍に希釈し作製した検体試料１５０μＬを免疫クロマト分析装置の試料添加部上に載せて展開させ、検出部の着色の度合い（発色値）をデンシトメーター（浜松ホトニクス社製、以下同じ）により測定した。結果を表１及び図２に示す。表中、相対活性とは、加湿器に入れないもの（経過時間０）で測定した発色値を１００％としたときの発色値の割合を示したものである。なお、各実施例・比較例に対応する、ＨｂＡ１ｃの濃度が０％でありＨｂＡ０のみからなる検体（陰性検体）を用いて、発色値を測定したが、すべて５ｍＡｂｓ未満の測定値を示し、偽陽性は確認されなかった。
【００６５】
［実施例２］
第一抗体および第二抗体の「抗ＨｂＡ１ｃモノクローナル抗体」の代わりに、「抗インフルエンザ抗体」を使用し、検体試料をインフルエンザ抗原に変更したこと以外は、実施例１を繰り返した。検出部の着色の度合い（発色値）をデンシトメーターにより測定した。結果を表１及び図２に示す。
【００６６】
［比較例１］
検出部において、「リジン及びラフィノース」の代わりに、「スクロース」を使用したこと以外は、実施例１を繰り返した。なお、検出部の作製においては、１０ｍｍｏｌ／ｍＬ（イムノクロマト媒体１つにつき２０ｎｍｏｌとなる濃度）のスクロース濃度を有する溶液を使用し、検出部の着色の度合い（発色値）をデンシトメーターにより測定した。結果を表２及び図２に示す。
【００６７】
［比較例２］
検出部において、「リジン及びラフィノース」の代わりに、「スクロース」を使用したこと以外は、実施例２を繰り返した。なお、検出部の作製においては、１０ｍｍｏｌ／ｍＬ（イムノクロマト媒体１つにつき２０ｎｍｏｌとなる濃度）のスクロース濃度を有する溶液を使用し、検出部の着色の度合い（発色値）をデンシトメーターにより測定した。結果を表２及び図２に示す。
【００６８】
【表１】
0006738608.tif 000002
【００６９】
【表２】
0006738608.tif 000003
【００７０】
表１及び図２において、実施例１及び２は、検出部に塩基性アミノ酸のリジン及び三糖のラフィノースを含有しているため、湿度９５％、温度３７℃という環境で一定時間放置した際に検出物質の活性低下が抑制された。また、被検出物質としてＨｂＡ１ｃを使用した実施例１では、検出物質の活性が向上した結果が得られた。
一方、表２及び図２において、二糖であるスクロースのみを含有する比較例１及び２においては、検出物質の活性が低下した。
【００７１】
[実施例３]
実施例１において使用したイムノクロマト装置を、温度：２４−２６℃、湿度：４０−７０％の加湿環境下で二日間放置した。検体は、実施例１と同じＨｂＡ１ｃを用い、放置前のイムノクロマト装置における検出部の着色の度合い（発色値）と、二日間放置後のイムノクロマト装置における検出部の着色の度合い（発色値）をそれぞれデンシトメーターにより測定した。その結果を表３及び図３に示す。表３中、相対活性とは、放置前のイムノクロマトグラフ装置において測定した発色値を１００％としたときの、二日間放置後のイムノクロマトグラフ装置において測定した発色値の割合を示したものである。
【００７２】
［実施例４］
実施例３において、イムノクロマト装置の検出部に塗布するリジンとラフィノースの量を、表３に示すように変更したことを除いては、実施例３を繰り返した。その結果を表３及び図３に示す。
【００７３】
［実施例５］
実施例３において、イムノクロマト装置の検出部に対し、表３に示す量のアルギニンとラフィノースを塗布したことを除いては、実施例３を繰り返した。その結果を表３及び図３に示す。
【００７４】
［実施例６］
実施例３において、イムノクロマト装置の検出部に対し、表３に示す量のリジンとマルトテトラオースを塗布したことを除いては、実施例３を繰り返した。その結果を表３及び図３に示す。
【００７５】
［比較例３］
実施例３において、イムノクロマト装置の検出部に対し、表３に示す量のグリシンを塗布したことを除いては、実施例３を繰り返した。その結果を表３及び図３に示す。
【００７６】
［比較例４］
実施例３において、イムノクロマト装置の検出部に対し、表３に示す量のアルギニンを塗布したことを除いては、実施例３を繰り返した。その結果を表３及び図３に示す。
【００７７】
［比較例５］
実施例３において、イムノクロマト装置の検出部に対し、表３に示す量のリジンを塗布したことを除いては、実施例３を繰り返した。その結果を表３及び図３に示す。
【００７８】
［比較例６］
実施例３において、イムノクロマト装置の検出部に対し、表３に示す量のマンニトールを塗布したことを除いては、実施例３を繰り返した。その結果を表３及び図３に示す。
【００７９】
［比較例７］
実施例３において、イムノクロマト装置の検出部に対し、表３に示す量のスクロースを塗布したことを除いては、実施例３を繰り返した。その結果を表３及び図３に示す。
【００８０】
［比較例８］
実施例３において、イムノクロマト装置の検出部に対し、表３に示す量のラフィノースを塗布したことを除いては、実施例３を繰り返した。その結果を表３及び図３に示す。
【００８１】
［比較例９］
実施例３において、イムノクロマト装置の検出部に対し、表３に示す量のマルトテトラオースを塗布したことを除いては、実施例３を繰り返した。その結果を表３及び図３に示す。
【００８２】
［比較例１０］
実施例３において、イムノクロマト装置の検出部に対し、表３に示す量のグリシンとラフィノースを塗布したことを除いては、実施例３を繰り返した。その結果を表３及び図３に示す。
【００８３】
【表３】
0006738608.tif 000004
【００８４】
表３及び図３において、実施例３〜６は、検出部に塩基性アミノ酸のリジンやアルギニン、及び三糖以上の多糖類（ラフィノース、マルトテトラオース）を含有しているため、二日間放置した際に検出物質の活性低下が抑制された。特に、リジン及びラフィノースの両方を検出部に含有する実施例３及び４においては、検出物質の活性低下が大幅に抑制された。
一方、中性アミノ酸であるグリシンのみを含有する比較例３、塩基性アミノ酸のみを含有する比較例４及び５、単糖であるマンニトールや二糖であるスクロースのみを含有する比較例６及び７、三糖のラフィノースや四糖のマルトテトラオースのみを含有する比較例８及び９においては、検出物質の活性が顕著に低下した。また、中性アミノ酸のグリシンと三糖のラフィノースを含有する比較例１０においても、検出物質の活性が顕著に低下した。
以上の結果より、検出部に塩基性アミノ酸及び三糖以上の多糖類を両方含有させることによって、検出物質の活性低下が大幅に抑制されることがわかった。
【符号の説明】
【００８５】
１  試料添加部（サンプルパッド）
２  標識物質保持部
３  クロマトグラフ媒体
４  検出部
５  吸収部
６  バッキングシート
【図１】
0006738608.tif 000005
【図２】
0006738608.tif 000006
【図３】
0006738608.tif 000007